(57)【特許請求の範囲】
【請求項１】
マットレス本体を構成し、上下に貫通する複数条のガイド溝を長手方向に有するクッション材と、
前記クッション材の下面側に設けられた基台と、
前記基台の上面側に設けられた複数本の支持脚と、
前記支持脚を前記クッション材の前記ガイド溝に沿って往復動させる駆動手段と、
前記複数本の支持脚の上端部間に取り付けられた棒状のマッサージ部材と、
を備えたマッサージ機能付きマットレスであって、
前記マッサージ部材が前記クッション材の弾性により下から支持された状態で、前記支持脚が上下方向に伸縮するようにしたことを特徴とするマッサージ機能付きマットレス。
【請求項２】
請求項１記載のマッサージ機能付きマットレスにおいて、前記マッサージ部材は芯材の外周面に弾性材料からなる表面被覆材を設けたものであることを特徴とするマッサージ機能付きマットレス。
【請求項３】
請求項２記載のマッサージ機能付きマットレスにおいて、前記芯材は前記支持脚の上端部に回動可能に軸支されていることを特徴とするマッサージ機能付きマットレス。
【請求項４】
請求項２記載のマッサージ機能付きマットレスにおいて、前記表面被覆材は前記芯材の外周面に対し回動可能に取り付けられていることを特徴とするマッサージ機能付きマットレス。
【請求項５】
請求項１〜４に何れかに記載のマッサージ機能付きマットレスにおいて、前記マッサージ部材は外径を長手方向に変化させ、凹凸形状または波型形状の外形としてあることを特徴とするマッサージ機能付きマットレス。
【請求項６】
請求項１〜５に何れかに記載のマッサージ機能付きマットレスにおいて、前記マッサージ部材は使用者の体型または好みに応じてカスタマイズされたものであることを特徴とするマッサージ機能付きマットレス。
【請求項７】
請求項１〜６に何れかに記載のマッサージ機能付きマットレスにおいて、前記マッサージ部材はあらかじめ用意された材質または外形の異なる複数種のマッサージ部材から選択的に交換可能としてあることを特徴とするマッサージ機能付きマットレス。
【請求項８】
請求項１〜７の何れかに記載のマッサージ機能付きマットレスにおいて、前記マッサージ部材はマットレス本体の長手方向に間隔をおいて複数本配置されていることを特徴とするマッサージ機能付きマットレス。
【請求項９】
請求項１〜８の何れかに記載のマッサージ機能付きマットレスにおいて、前記支持脚は前記駆動手段により前記基台の上面に沿って摺動する摺動部と、前記摺動部の上面に立ち上がる下部支持脚と、前記下部支持脚に形成された上下方向の嵌入孔と、下部が前記嵌入孔に上下方向に摺動可能に嵌入される上部支持脚とを備えていることを特徴とするマッサージ機能付きマットレス。
【請求項１０】
請求項９記載のマッサージ機能付きマットレスにおいて、前記摺動部は、前記基台の上面に形成されたマットレス長手方向の摺動溝に沿って摺動するようにしたことを特徴とするマッサージ機能付きマットレス。
【請求項１１】
請求項１〜１０の何れかに記載のマッサージ機能付きマットレスにおいて、前記駆動手段はボールネジまたはリニアアクチュエーターを利用したものであることを特徴とするマッサージ機能付きマットレス。
【発明の詳細な説明】
【技術分野】
【０００１】
本発明は、ベッドあるいは床などの上に敷いて使用することができるマッサージ機能付きマットレスに関するものである。
【背景技術】
【０００２】
マッサージ装置については、椅子タイプのマッサージ装置の他、利用者が仰向けに横たわった状態でマッサージを受けることができるマットレスタイプのものがある。
【０００３】
特許文献１には、マットレスタイプのマッサージ装置として、長尺平板状の基体を有し、この基体の幅方向両側に一対のガイドレールが敷かれ、また長手方向両側にモータを駆動源とする駆動装置とピローベースとが配設されたものが開示されている。ガイドレールには、駆動装置によって往復移動される伝動用ベルト、回転自在なマッサージローラを有した移動体が設けられ、移動体は伝動用ベルトに連結されている。そして、伝動用ベルトが駆動装置により往復移動されると、これに伴って移動体も往復移動し、その上に仰向けに横たわった使用者は往復移動する移動体のマッサージローラによりマッサージを受けることができるというものである。
【０００４】
また、特許文献２には、同様のマッサージ装置において、装置の下側に配置したクッション材を有するマットとマットの上に設けたマッサージローラを備え、使用者の足をマッサージローラ側に押さえ付けるための帯状体を設け、この帯状体の取り付けを面状ファスナで行うようにしたマッサージ装置が開示されている。
【０００５】
さらに、特許文献３には、同様のマッサージ装置において、マッサージローラによって利用者の背面をマッサージすることができるとともに、脚部と首部とにはマッサージローラによって押圧するだけのマッサージでなく、揉みほごすマッサージを受けることができるようにしたマッサージ装置が開示されている。
【先行技術文献】
【特許文献】
【０００６】
【特許文献１】実公平０４−２０４３４号公報
【特許文献２】特許第２８６６３０６号公報
【特許文献３】特許第４５７６１１０号公報
【発明の概要】
【発明が解決しようとする課題】
【０００７】
上述した特許文献１〜３記載のマットレスタイプのマッサージ装置は、横たわった使用者にマッサージローラによる押圧力を加える際、使用者の体重のかなりの割合をマッサージローラが直接受ける構造であるため、マッサージローラやその軸部の径だけでなく駆動機構全体が頑丈なものでなければならない。
【０００８】
そのため、マッサージ装置全体の重量も非常に大きくなり、取り扱いに不便であるという課題がある。また、マッサージ装置自体は、マッサージを行わない状態ではマットレスとしての機能はなく、マッサージ使用した後は、その度ごとに片付けなければならないという課題もある。
【０００９】
本発明は、従来技術における上述のような課題の解決を図ったものであり、常時、マットレスとしての使用が可能であり、かつマッサージ装置として利用する場合においても、使用者の体重をマットレス全体に分散させることでマッサージ機構にかかる負担を軽減し、機構の簡略化、重量の低減を可能としたマッサージ機能付きマットレスを提供することを目的としたものである。
【課題を解決するための手段】
【００１０】
本発明は、マットレス本体を構成し、上下に貫通する複数条のガイド溝を長手方向に有するクッション材と、前記クッション材の下面側に設けられた基台と、前記基台の上面側に設けられた複数本の支持脚と、前記支持脚を前記クッション材の前記ガイド溝に沿って往復動させる駆動手段と、前記複数本の支持脚の上端部間に取り付けられた棒状のマッサージ部材とを備えたマッサージ機能付きマットレスであって、前記マッサージ部材が前記クッション材の弾性により下から支持された状態で、前記支持脚が上下方向に伸縮するようにしたことを特徴とするものである。
【００１１】
本発明のマッサージ機能付きマットレスは、マットレス本体を構成するクッション材の上に使用者が横たわることができるため、一般的なマットレスと同様に、ベッドの上に敷いて利用したり、床に直接敷いて利用することもできる。
【００１２】
マッサージ機能を利用する際は、棒状のマッサージ部材がマットレス本体の長手方向に往復動しながら、使用者の背中や足のふくらはぎなどを押圧してマッサージ効果を与えることができる。
【００１３】
マッサージを行わず、マットレスとして使用する場合は、棒状のマッサージ部材をマットレス本体の足側端部または頭部側端部などに移動させておくようにしてもよい。
【００１４】
マッサージ部材は、例えば芯材の外周面に弾性材料からなる表面被覆材を設けたものなどを用いることができる。芯材としては金属あるいは硬質のプラスチックなどが適し、表面被覆材としては例えば発泡樹脂やゴムなどの使用が考えられる。
【００１５】
棒状のマッサージ部材は支持脚に対して軸回りに回動できる構造とすればマットレス本体の長手方向へ往復動させるときの抵抗が少なく、また使用者に対し、押圧時に滑らかな刺激を与えることができる。そのような構造としては、芯材を支持脚の上端部に回動可能に軸支する機構がある。
【００１６】
あるいは、芯材自体は回動せずに、表面被覆材を芯材の外周面に対し軸回りに回動可能に取り付ける構成としてもよい。
【００１７】
背景技術の項に上げた特許文献１〜３記載の発明では、マッサージ装置のローラに大径のローラを用いているが、本発明のマッサージ機能付きマットレスにおいて、マッサージ部材は外径が２ｃｍ〜４ｃｍ程度が望ましい。外径が２ｃｍより以下では使用者へのマッサージ効果が小さく、外径が４ｃｍより大きい場合、逆に使用者に対する刺激が大きすぎたり、支持脚による支持機構や駆動機構が大型化するといった問題が考えられる。
【００１８】
マッサージ部材は外径を長手方向に変化させ、凹凸形状または波型形状の外形としてもよい。例えば、凸形状の部分を人体のつぼの位置などに合わせて形成させることで、マッサージ効果を高めることができる。また、使用者の年齢や好みに応じて、緩やかな波型形状とすることもできる。
【００１９】
また、マッサージ部材を、使用者の年齢や体型、あるいは好みに応じてカスタマイズできるようにし、使用者の注文に応じてマッサージ部材を製造するようにしてもよい。
【００２０】
また、材質または外形の異なる複数種のマッサージ部材を用意しておき、これらを使用者のその日の体調に合わせて選択的に交換可能としたり、家族など複数人で使用する場合にはそれぞれの使用者に応じて交換可能とすることができる。
【００２１】
マッサージ部材は一本に限らず、マットレス本体の長手方向に間隔をおいて複数本設けてもよい。
【００２２】
マッサージ部材を支持する支持脚の一形態としては、駆動手段により基台の上面に沿って摺動する摺動部と、その摺動部の上面に立ち上がる下部支持脚と、下部が支持脚下部に形成された嵌入孔に上下方向に摺動可能に嵌入される上部支持脚とを備えたものが挙げられる。
【００２３】
下部支持脚は円筒状の形態のものに限らず、例えば下端部が摺動部の摺動方向に幅広となる側面から見て三角形状あるいは台形状のものとすれば摺動時の安定性を高めることができる。
【００２４】
下部支持脚がマットレス本体のクッション材に形成されたガイド溝に下から挿入された状態で、下部支持脚の嵌入孔に上部支持脚を嵌入することができる。上部支持脚については、複数本の支持脚の上端部間に取り付けられた棒状のマッサージ部材の芯材と一体化したものでもよい。
【００２５】
上部支持脚は下部支持脚の嵌入孔に対して上下方向に摺動可能であるが、嵌入孔内にバネ材を挿入しておき、上部支持脚を上方に付勢する構造とすれば、マッサージ部材から使用者に対する押圧力を調整することができる。バネ材の代わりに緩衝用のダンパーを設けてもよい。
【００２６】
その場合、バネの押圧力等が可変な構造、あるいはバネ等が交換可能なものとすれば、使用者の状況に合わせて効果的な、あるいは緩やかなマッサージ効果が得られるように調整することができる。
【００２７】
支持脚の摺動部はマットレス本体のクッション材に形成されたガイド溝に沿って複数設けてもよいし、クッション材の下面側においてマットレス本体の幅方向に延び、複数の下部支持脚をつなぐ形態のものでもよい。
【００２８】
また、支持脚の摺動部は、基台の上面に形成されたマットレス長手方向の摺動溝に沿って摺動するようにすれば、マットレス本体のクッション材との摩擦を回避することができる。
【００２９】
摺動部がクッション材の下面側においてマットレス本体の幅方向に延び、複数の下部支持脚をつなぐ形態の場合は、摺動溝の幅方向の一部に蓋を設けることでマットレス本体のクッション材との摩擦を回避することができる。
【００３０】
支持脚をクッション材のガイド溝に沿って往復動させる駆動手段の種類は特に限定されないが、ボールネジあるいはリニアアクチュエーターなどの直線駆動機構を備えた装置を用いれば、駆動機構をコンパクトに納めることができる。
【発明の効果】
【００３１】
マッサージ機能を利用する際は、棒状のマッサージ部材がマットレス本体の長手方向に往復動しながら、使用者の背中や足のふくらはぎなどを押圧してマッサージ効果を与えることができる。
【００３２】
マッサージ部材が前記クッション材の弾性により下から支持された状態で、前記支持脚が上下方向に伸縮する構成であるため、使用者の体重をマットレス全体に分散させることができ、マッサージ機構にかかる負担を軽減し、機構の簡略化して軽量のマッサージ装置とすることができる。
【００３３】
マットレス本体を構成するクッション材の上に使用者が横たわることができるため、マッサージを行わないときは、マッサージ部材をマットレス本体の足側端部または頭部側端部などに移動させておくなどして、通常のマットレスと同様に使用することができる。
【図面の簡単な説明】
【００３４】
【図１】本発明のマッサージ機能付きマットレスの一実施形態を示したもので、(a)は平面図、(b)は側面図である。
【図２】図１の実施形態に対応する分解斜視図である。
【図３】支持脚とマッサージ部材の具体的な一実施形態を示す斜視図である。
【図４】支持脚とマッサージ部材の他の実施形態を示す鉛直断面図である。
【図５】マッサージ部材の外形に関するバリエーションの例を示す斜視図である。
【図６】本発明のマッサージ機能付きマットレスの他の実施形態を示す分解斜視図である。
【発明を実施するための形態】
【００３５】
以下、本発明を添付した図面に基づいて説明する。
図１は本発明のマッサージ機能付きマットレス１の一実施形態を示す平面図および側面図、図２は分解斜視図である。
【００３６】
本発明のマッサージ機能付きマットレス１は、基本構成として、マットレス本体を構成し上下に貫通する複数条のガイド溝１２を長手方向に有するクッション材１１と、クッション材１１の下面側に設けられた基台２１と、基台２１の上面側に設けられた複数本の支持脚３１と、支持脚３１をクッション材１１のガイド溝１２に沿って往復動させる駆動手段（図示省略）と、複数本の支持脚３１の上端部間に取り付けられた棒状のマッサージ部材４１とを備えている。
【００３７】
本発明のマッサージ機能付きマットレス１は、例えばベッドＢの上に設置することができ、その上に使用者Ｓが仰向けに横たわった状態で、マッサージ部材４１を往復動させることで、使用者Ｓの首あるいは背中から足先まで、マッサージ部材４１からの押圧力によりマッサージ機能のある刺激を加えることができる。
【００３８】
支持脚３１は上下方向に伸縮する機構としているため、マッサージ部材４１が使用者Ｓの身体に沿って移動する間、クッション材１１に支持されることになる。
【００３９】
マッサージ部材４１が往復動する間、マッサージ部材４１はクッション材１１の弾性により下からの反発力を受ける。そのため、マッサージ部材４１に加わる使用者Ｓの体重の一部はクッション材１１に支持され、マッサージ部材４１に過度の負荷がかからないようになっている。
【００４０】
本実施形態では、クッション材１１のガイド溝１２に合わせて、基台２１の上面に長手方向に延びる２条の摺動溝２２を設け、２本の支持脚３１の下端の摺動部３２が駆動手段により摺動溝２２に沿って往復動するようにし、往復動に対するクッション材１１との干渉が生じにくいようにしている。
【００４１】
支持脚３１は、図２に示すように、上記の摺動部３２と、摺動部３２の上面に立ち上がる下部支持脚３３と、下部支持脚３３に形成された上下方向の嵌入孔３４と、下部が嵌入孔３４に上下方向に摺動可能に嵌入される上部支持脚３５とからなり、下部支持脚３３がクッション材１１のガイド溝１２に下から嵌まり込み、クッション材１１の上側から上部支持脚３５の下端部を嵌入孔３４を差し込むことができる。
【００４２】
また、本実施形態では、金属あるいは硬質プラスチックなどからなる基台２１の両側に同厚のクッション材２３を取り付けて全体の軽量化を図るとともに、上部のクッション材１１との一体性を持たせている。
【００４３】
図３は本発明に用いる支持脚３１とマッサージ部材４１の具体的な一実施形態を示したもので、支持脚３１は摺動部３２と下部支持脚３３と下部支持脚３３の嵌入孔３４に上下方向に摺動可能に嵌入された上部支持脚３５とからなる。
【００４４】
この例では、上部支持脚３５の上端部にマッサージ部材４１の芯材４２が回動可能に軸支されており、芯材４２の外周面にはゴムあるいは樹脂などの緩衝機能を有する表面被覆材４３が取り付けられている。
【００４５】
図４は、本発明に用いる支持脚３１とマッサージ部材４１の他の実施形態を示したもので、上部支持脚３５の上端部とマッサージ部材４１の芯材４２は一体化されており、芯材４２の外周面にゴムあるいは樹脂などの緩衝機能を有する表面被覆材４３が取り付けられている。
【００４６】
表面被覆材４３はバリエーションとして、芯材４２に固定されている場合と、芯材４２の外周面に対し回動可能に取り付けられている場合とがある。
【００４７】
また、この例では、嵌入孔３４に嵌入させた上部支持脚３５の下端部がバネ材３６によって上方に付勢され、マッサージ部材４１からの下向きの力に対する干渉機能を与えている。
【００４８】
図５は、マッサージ部材４１の外形に関するバリエーションの例を示したものである。
すなわち、マッサージ部材４１は外径を長手方向に変化させ、凹凸形状または波型形状の外形としてもよい。
【００４９】
(a)は長手方向の２箇所に凸部４４を設け、凸部４４が使用者の背中に強く当たるようにしたもので、つぼの刺激によるマッサージ効果を図ったものである。
【００５０】
(b)は長手方向に波型形状となるようにし、波の高い部分４５が使用者の背中に強く当たるようにしたものである。また、(c)は中央部４６が高くなるようにしたものである。
【００５１】
これらは、交換可能とすることで、使用者の体型や好み、気分に応じて取り換えて使用するようにしてもよい。また、使用者の年齢や体型、あるいは好みに応じてカスタマイズできるようにし、使用者の注文に応じてマッサージ部材を製造するようにしてもよい。
【００５２】
図５は本発明のマッサージ機能付きマットレス１の他の実施形態を示したものである。
本実施形態では、クッション材１１の２条のガイド溝１２に対応する位置に長手方向に延びる幅広の摺動溝２２を設け、支持脚３１の下端の幅広の摺動部３２が駆動手段により摺動溝２２に沿って往復動するようにしている。、
【００５３】
摺動部３２には４本の下部支持脚３３が立設されている。一方、２本のマッサージ部材４１がマットレス本体の長手方向に間隔をおいて配置され、４本の上部支持脚３５の下端が、クッション材１１の２条のガイド溝１２内で４本の下部支持脚３３の嵌入孔３４に嵌め込まれる構造となっている。
【００５４】
また、この例では、摺動溝２２に沿って往復動する摺動部３２とクッション材１１の下面との干渉が生じにくいように、摺動溝２２上部に、下部支持脚３３と干渉しない形で蓋２４を取り付ける構成としている。
【符号の説明】
【００５５】
Ｓ…使用者、Ｂ…ベッド、
１…マッサージ機能付きマットレス
１１…クッション材、１２…ガイド溝、
２１…基台、２２…摺動溝、２３…クッション材、２４…蓋、
３１…支持脚、３２…摺動部、３３…下部支持脚、３４…嵌入孔、３５…上部支持脚、３６…バネ材、
４１…マッサージ部材、４２…芯材、４３…表面被覆材
【要約】
【課題】使用者の体重をマットレス全体に分散させることでマッサージ機構にかかる負担を軽減し、機構の簡略化、重量の低減を可能としたマッサージ機能付きマットレスを提供する。
【解決手段】本発明のマットレス１は、上下に貫通する複数条のガイド溝１２を長手方向に有するクッション材１１と、その下面側に設けられた基台２１と、基台２１の上面側に設けられた支持脚３１と、支持脚３１をガイド溝１２に沿って往復動させる駆動手段と、支持脚３１の上端部間に取り付けられた棒状のマッサージ部材４１とを備えている。マットレス１は例えばベッドＢの上に設置することができ、その上に使用者Ｓが横たわった状態で、マッサージ部材４１を往復動させることで、使用者Ｓにマッサージ効果のある刺激を与えることができる。支持脚３１は上下方向に伸縮し、マッサージ部材４１が使用者Ｓの身体に沿って移動する間、クッション材１１に支持される。
【選択図】  図１【図１】
0006732399.tif 000002
【図２】
0006732399.tif 000003
【図３】
0006732399.tif 000004
【図４】
0006732399.tif 000005
【図５】
0006732399.tif 000006
【図６】
0006732399.tif 000007